(57)【特許請求の範囲】
【請求項１】
撮影モードと非撮影モードとを切り換え可能に有する電子カメラにおいて、
ボディに対して回転変位可能な撮影レンズ系と、
前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、
前記撮影レンズ系の開口部の少なくとも一部の領域が、前記ボディによって覆われて撮影不適の位置にあることを判別する判別手段と、
半押しで撮影条件を設定し、全押しで撮影を実行させるレリーズボタンと、
前記レリーズボタンの全押しに応じて前記判別手段による判別を実行し、撮影不適の位置にあることが判別されたときは、前記撮影モードを維持しつつ、前記全押しに応じた撮影を禁止する撮影禁止手段と
を有することを特徴とする電子カメラ。
【請求項２】
ボディに対して回転変位可能な撮影レンズ系と、
前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、
前記撮影レンズ系の開口部の少なくとも一部の領域が、前記ボディによって覆われて撮影不適の位置にあることを判別する判別手段と、
撮影を連続して行う連続撮影実行手段と、
前記連続撮影実行手段が連続撮影を実行している最中に、前記判別手段によって撮影不適の位置にあることが判別されたとき、連続撮影を中断する連続撮影中断手段と
を有することを特徴とする電子カメラ。
【請求項３】
請求項２記載の電子カメラにおいて、
前記連続撮影中断手段は、連続撮影を中断している最中に、前記判別手段によって撮影不適の位置にないことが判別されたとき、連続撮影を再開する
ことを特徴とする電子カメラ。
【請求項４】
ボディに対して回転変位可能な撮影レンズ系と、
前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、
前記撮影レンズ系の開口部の少なくとも一部の領域が、前記ボディによって覆われて撮影不適の位置にあることを判別する判別手段と、
動画撮影を行う動画撮影実行手段と、
前記動画撮影実行手段が動画撮影を実行している最中に、前記判別手段によって撮影不適の位置にあることが判別されたとき、動画撮影を中断する動画撮影中断手段と
を有することを特徴とする電子カメラ。
【請求項５】
ボディに対して回転変位可能な撮影レンズ系と、
前記ボディに対して前記撮影レンズ系と一体に回転変位可能に配置され、閃光発光する閃光発光手段と、
前記撮影レンズ系の回転変位の程度に応じて、前記閃光発光手段の発光部が前記ボディによって完全に覆われかつ前記撮影レンズ系と前記ボディとで略連続な最外面を形成する収納位置と、前記発光部が前記ボディに覆われずかつ前記発光部が前記ボディに対して突出する撮影可能位置との間で前記撮影レンズ系を変化させる変位手段と、
前記閃光発光手段の発光部の少なくとも一部の領域が、前記ボディによって覆われて撮影不適の位置にあることを判別する判別手段と、
前記閃光発光手段が発光する直前に、前記判別手段によって撮影不適の位置にあることが判別されたとき、前記閃光発光手段の発光を含む撮影処理を中断する撮影処理中断手段と
を有することを特徴とする電子カメラ。
【請求項６】
請求項５に記載の電子カメラにおいて、
前記閃光発光は、予備発光である
ことを特徴とする電子カメラ。
【請求項７】
請求項５に記載の電子カメラにおいて、
前記閃光発光は、本発光である
ことを特徴とする電子カメラ。
【請求項８】
請求項５に記載の電子カメラにおいて、
前記閃光発光は、赤目現象を防止するための補助発光である
ことを特徴とする電子カメラ。
【発明の詳細な説明】
【０００１】
【発明の属する技術分野】
本発明は、ＣＣＤなどの撮像装置で被写体を撮像して画像データを記録媒体に記録する電子カメラに関する。
【０００２】
【従来の技術】
電子カメラは、レリーズボタンの半押しで自動的に露出を決定し（以下、ＡＥと称する）、オートフォーカスで焦点合わせを行う（以下、ＡＦと称する）。電子カメラは、その後、レリーズボタンの全押しで撮影を行う。
レリーズボタンが半押しされたとき、カメラの撮影レンズ系の開口部の少なくとも一部の領域が何らかの物体（例えば、レンズキャップやカバー等）によって覆われていなければ、ＡＥ処理により正確に露出が決定され、ＡＦ処理により正確に合焦点動作が実行される。
【０００３】
また、電子カメラは、連続撮影モードによる撮影（連写）や動画撮影モードによる動画撮影を行うことができる。
また、レリーズボタンが半押しされたときに被写体が暗い場合、および閃光発光装置を強制的に発光させるように設定されている場合には、電子カメラは閃光発光させるための準備を行う。電子カメラは、その後、レリーズボタンの全押しで、閃光発光して撮影を行う。
【０００４】
【発明が解決しようとする課題】
前記した従来技術において、レリーズボタンが半押しされ、露出の決定や合焦点動作が行われた後、レリーズボタンの全押し時に、カメラの撮影レンズ系の開口部の少なくとも一部の領域が何らかの物体（例えば、レンズキャップやカバー等）によって覆われてしまった場合（いわゆる、けられが生じた場合）、レリーズボタンが半押しされたときの撮影条件（ＡＥ、ＡＦ処理）で撮影が行われてしまう。そのため、不適切な画像を撮影してしまうという問題点があった。
【０００５】
また、電子カメラが連続撮影モードで撮影をおこなっている最中に、カメラの撮影レンズ系の開口部の少なくとも一部の領域が何らかの物体（例えば、レンズキャップやカバー等）によって覆われてしまった場合（けられが生じた場合）、それ以後、不適切な画像を撮影してしまうという問題点があった。
同様に、電子カメラが動画撮影モードで撮影をおこなっている最中に、カメラの撮影レンズ系の開口部の少なくとも一部の領域が何らかの物体（例えば、レンズキャップやカバー等）によって覆われてしまった場合（けられが生じた場合）、それ以後、不適切な動画撮影を行ってしまうという問題点があった。
【０００６】
また、従来技術においては、前記したように、レリーズボタンが半押しされたときに被写体が暗い場合、および閃光発光装置を強制的に発光させるように設定されている場合には、電子カメラは閃光発光させるための準備を行う。この場合、カメラの撮影レンズ系の開口部の少なくとも一部の領域が何らかの物体（例えば、レンズキャップやカバー等）によって覆われている場合でも（けられが生じている場合でも）、閃光発光装置は強制的に発光してしまう。このとき、閃光発光装置の閃光発光部の前にカバー等が位置することで、狭い空間で閃光発光が行われ、例えば閃光発光部とカバーの間の構造物が熱を持って変形してしまい、この熱に起因して電子カメラの寿命を短くしたり、その熱により人体に影響を与える可能性が有るという問題点があった。
【０００７】
本発明は、前記した従来技術の問題点に鑑み為されたもので、レリーズボタンが全押しされたとき、適切な撮影が行われるか否かを判別して、適切な撮影ができない場合には撮影処理を禁止する電子カメラを提供することを目的とする。
また、本発明は、前記した従来技術の問題点に鑑み為されたもので、連続撮影が行われているとき、適切な撮影が行われるか否かを判別して、適切な撮影ができない場合には連続撮影処理を禁止する電子カメラを提供することを目的とする。
【０００８】
また、本発明は、前記した従来技術の問題点に鑑み為されたもので、動画撮影が行われているとき、適切な動画撮影が行われるか否かを判別して、適切な動画撮影ができない場合には動画撮影処理を禁止する電子カメラを提供することを目的とする。
また、本発明は、前記した従来技術の問題点に鑑み為されたもので、閃光発光装置が発光する前に、カメラの撮影レンズ系の開口部の少なくとも一部の領域が何らかの物体によって覆われているいるか否かを判別し、覆われている場合には撮影処理を禁止する電子カメラを提供することを目的とする。
【０００９】
【課題を解決するための手段】
第１の発明の電子カメラは、撮影モードと非撮影モードとを切り換え可能に有する電子カメラにおいて、ボディに対して回転変位可能な撮影レンズ系と、前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、前記撮影レンズ系の開口部の少なくとも一部の領域が、前記ボディによって覆われて撮影不適の位置にあることを判別する判別手段と、半押しで撮影条件を設定し、全押しで撮影を実行させるレリーズボタンと、前記レリーズボタンの全押しに応じて前記判別手段による判別を実行し、撮影不適の位置にあることが判別されたときは、前記撮影モードを維持しつつ、前記全押しに応じた撮影を禁止する撮影禁止手段とを有することを特徴とする。
これによれば、レリーズボタンが全押しされたとき、撮影レンズ系の開口部の少なくとも一部の領域が覆われているか否かを判別することができる。
【００１０】
第２の発明の電子カメラは、ボディに対して回転変位可能な撮影レンズ系と、前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、前記撮影レンズ系の開口部の少なくとも一部の領域が、前記ボディによって覆われて撮影不適の位置にあることを判別する判別手段と、撮影を連続して行う連続撮影実行手段と、前記連続撮影実行手段が連続撮影を実行している最中に、前記判別手段によって撮影不適の位置にあることが判別されたとき、連続撮影を中断する連続撮影中断手段とを有することを特徴とする。
これによれば、連続撮影中に撮影レンズ系の開口部の少なくとも一部の領域が覆われているか否かを判別することができる。
【００１１】
第３の発明の電子カメラは、第２の発明の電子カメラにおいて、前記連続撮影中断手段は、連続撮影を中断している最中に、前記判別手段によって撮影不適の位置にないことが判別されたとき、連続撮影を再開することを特徴とする。
これによれば、連続撮影中に撮影レンズ系の開口部の少なくとも一部の領域が覆われて連続撮影が中断した場合、再び開口部の少なくとも一部の領域又は全部の領域が覆われているか否かを判別することができる。
【００１２】
第４の発明の電子カメラは、ボディに対して回転変位可能な撮影レンズ系と、前記撮影レンズ系の回転変位の程度に応じて、前記撮影レンズ系の開口部が前記ボディによって完全に覆われかつ前記撮影レンズ系と前記ボディとで略連続な最外面を形成する収納位置と、前記開口部が前記ボディに覆われずかつ前記開口部が前記ボディに対して突出する撮影可能位置との間で前記撮影レンズ系を変化させる変位手段と、前記撮影レンズ系の開口部の少なくとも一部の領域が、前記ボディによって覆われて撮影不適の位置にあることを判別する判別手段と、動画撮影を行う動画撮影実行手段と、前記動画撮影実行手段が動画撮影を実行している最中に、前記判別手段によって撮影不適の位置にあることが判別されたとき、動画撮影を中断する動画撮影中断手段とを有することを特徴とする。
これによれば、動画撮影中に撮影レンズ系の開口部の少なくとも一部の領域が覆われているか否かを判別することができる。
【００１３】
第５の発明の電子カメラは、ボディに対して回転変位可能な撮影レンズ系と、前記ボディに対して前記撮影レンズ系と一体に回転変位可能に配置され、閃光発光する閃光発光手段と、前記撮影レンズ系の回転変位の程度に応じて、前記閃光発光手段の発光部が前記ボディによって完全に覆われかつ前記撮影レンズ系と前記ボディとで略連続な最外面を形成する収納位置と、前記発光部が前記ボディに覆われずかつ前記発光部が前記ボディに対して突出する撮影可能位置との間で前記撮影レンズ系を変化させる変位手段と、前記閃光発光手段の発光部の少なくとも一部の領域が、前記ボディによって覆われて撮影不適の位置にあることを判別する判別手段と、前記閃光発光手段が発光する直前に、前記判別手段によって撮影不適の位置にあることが判別されたとき、前記閃光発光手段の発光を含む撮影処理を中断する撮影処理中断手段とを有することを特徴とする。
これによれば、閃光発光手段が発光する直前に、撮影レンズ系の開口部の少なくとも一部の領域が覆われているか否かを判別することができる。
【００１４】
第６の発明の電子カメラは、第５の電子カメラにおいて、前記閃光発光は、予備発光であることを特徴とする。
これによれば、閃光発光手段が予備発光する直前に、撮影レンズ系の開口部の少なくとも一部の領域が覆われているか否かを判別することができる。
【００１５】
第７の発明の電子カメラは、第５の発明の電子カメラにおいて、前記閃光発光は、本発光であることを特徴とする。
これによれば、閃光発光手段が本発光する直前に、撮影レンズ系の開口部の少なくとも一部の領域が覆われているか否かを判別することができる。
【００１６】
第８の発明の電子カメラは、第５の発明の電子カメラにおいて、前記閃光発光は、赤目現象を防止するための補助発光であることを特徴とする。
これによれば、閃光発光手段が赤目現象を防止するための補助発光する直前に、撮影レンズ系の開口部の少なくとも一部の領域が覆われているか否かを判別することができる。
【００１７】
なお、好ましくは、撮影モードと非撮影モードとを切り換え可能に有する電子カメラにおいて、撮影レンズ系と、前記撮影レンズ系の開口部の少なくとも一部の領域を覆う覆い手段と、前記撮影レンズ系の開口部の少なくとも一部の領域が前記覆い手段によって覆われていることを判別する判別手段と、半押しで撮影条件を設定し、全押しで撮影を実行させるレリーズボタンと、前記レリーズボタンの全押しに応じて前記判別手段による判別を実行し、前記撮影レンズ系の開口部の少なくとも一部の領域が覆われていると判別されたときは、前記撮影モードを維持しつつ、前記全押しに応じた撮影を禁止する撮影禁止手段とを有しても良い。
【００１８】
また、好ましくは、撮影レンズ系と、前記撮影レンズ系の開口部の少なくとも一部の領域を覆う覆い手段と、前記撮影レンズ系の開口部の少なくとも一部の領域が前記覆い手段によって覆われていることを判別する判別手段と、撮影を連続して行う連続撮影実行手段と、前記連続撮影実行手段が連続撮影を実行している最中に、前記判別手段によって前記撮影レンズ系の開口部の少なくとも一部の領域が覆われていると判別されたとき、連続撮影を中断する連続撮影中断手段とを有しても良い。
【００１９】
また、好ましくは、前記連続撮影中断手段は、連続撮影を中断している最中に、前記判別手段によって前記撮影レンズ系の開口部の一部の領域又は全部の領域が覆われていないと判別されたとき、連続撮影を再開しても良い。
【００２０】
また、好ましくは、撮影レンズ系と、前記撮影レンズ系の開口部の少なくとも一部の領域を覆う覆い手段と、前記撮影レンズ系の開口部の少なくとも一部の領域が前記覆い手段によって覆われていることを判別する判別手段と、動画撮影を行う動画撮影実行手段と、前記動画撮影実行手段が動画撮影を実行している最中に、前記判別手段によって前記撮影レンズ系の開口部の少なくとも一部の領域が覆われていると判別されたとき、動画撮影を中断する動画撮影中断手段とを有しても良い。
【００２１】
また、好ましくは、撮影レンズ系と、閃光発光する閃光発光手段と、前記閃光発光手段の発光部の少なくとも一部の領域を覆う覆い手段と、前記閃光発光手段の発光部の少なくとも一部の領域が前記覆い手段によって覆われていることを判別する判別手段と、前記閃光発光手段が発光する直前に、前記判別手段によって前記閃光発光手段の発光部の少なくとも一部の領域が覆われていると判別されたとき、前記閃光発光手段の発光を含む撮影処理を中断する撮影処理中断手段とを有しても良い。
【００２３】
【発明の実施の形態】
以下、図面を用いて本発明の一実施の形態について説明する。
【００２４】
図１は、本発明の一実施の形態で用いるカメラの斜視図である。図１において、１はカメラのボディ、２は撮像ブロック、２１は撮影レンズ系の開口部、２２は閃光発光装置の発光部、２３は撮像ブロック２の回転軸である。撮像ブロック２は、撮影レンズ系（図示せず）と撮像素子であるＣＣＤ（図示せず）と閃光発光装置の発光部２２を備えている。ボディ１は、液晶モニタ１１とレリーズボタン１２を備えている。
【００２５】
図１に示す実施の形態においては、撮像ブロック２が回転軸２３を中心にして、矢印Ａ，Ｂの示す方向に回転する。図１から明らかなように、撮像ブロック２はボディ１に内包された状態で回転する。
【００２６】
図２と図３は、ボディ１に対して、撮像ブロック２が回転変位する状態を示す図である。
図２は、撮像ブロック２が回転軸２３を中心にして、角度θ（θは可変）の位置に回転した状態を示している。図２は、θ＝−９０度の状態を示している。
図３に示す（ａ）〜（ｆ）は、前記撮像ブロック２が回転変位した場合の各遷移状態を示す図である。
【００２７】
図３（ａ）は、撮像ブロック２がθ＝９０度まで回転変位した状態を示している。この実施の形態においては、θ＝９０度は対面撮像の限界位置である。すなわち、この実施の形態では、θが９０度以上回転しないように構成されている。ここで、対面撮像とは、撮像ブロック２の撮影レンズ系２０を撮影者の方に向けて撮影することを意味する（自分撮影）。
【００２８】
図３（ｂ）は、撮像ブロック２がθ＝α１まで回転変位した状態を示している。この実施の形態では、θがα１より小さくなると、撮影レンズ系２の開口部がボディ１によって覆われ始め、けられが発生する。したがって、図３（ｂ）は対面撮影限界位置である。
図３（ｃ）は、撮像ブロック２がθ＝０度の状態を示している。この状態においては、撮像ブロック２がボディ１に収納される。したがって、撮像は不可能である。
【００２９】
図３（ｄ）は、撮像ブロック２がθ＝−α１まで回転した状態を示している。の状態を示している。この実施の形態では、θが−α１より小さくなって、撮影レンズ系２の開口部がボディ１によって覆われなくなり、けられが発生しなくなる。したがって、図３（ｄ）は、正面上方撮影限界位置である。
【００３０】
図３（ｅ）は、撮像ブロック２がθ＝−９０度まで回転した状態を示している。これは、通常のカメラによる正面撮影位置を意味している。すなわち、正面撮像とは、撮像ブロック２の撮影レンズ系２０を被写体の方に向けて撮影することを意味する（通常撮影）。
図３（ｆ）は、撮像ブロック２がθ＝−α２まで回転した状態を示している。この実施の形態では、θが−α２以下になると、撮影レンズ系２の開口部がボディ１によって覆われ始め、けられが発生する。したがって、この実施の形態では、θが−α２以下にならないように構成されている。したがって、電子カメラの正面下方撮影限界位置である。
【００３１】
また、本実施の形態の電子カメラは、撮影レンズ系２０が図３の（ａ）から（ｆ）に示す各位置に回転変位するとき、操作者にクリック感を与えるように構成されている。
図４は、本実施の形態における電子カメラのブロック図である。図４において、１００はＣＰＵ、１０１はバス、１０２は利得が調整可能な増幅器、１０３はＡ／Ｄ変換器、１０４は画像処理部、１０５はバッファメモリ、１０６は画像圧縮／伸長部、１０７は記録媒体、１０８はＤ／Ａ変換器、１１は液晶モニタ、１１０は電源スイッチ、１２はレリーズボタン、１１２は撮影モード／再生モード切換スイッチ、ＳＷ１，ＳＷ２はスイッチである。また、撮像ブロック２には、閃光発光装置２０２が設けられている。また、撮像ブロック２には、ＡＦ機構、ＡＥ機構が設けられているが、よく知られているので、図示を省略する。
【００３２】
ＳＷ１，ＳＷ２は、撮影レンズ系２０の開口部の少なくとも一部の領域がボディ１によって覆われて撮影不適の位置にあることを判別するためのスイッチであり、ボディ１に固定されている。スイッチＳＷ１，ＳＷ２は、後述する回転軸２３に設けられたカムとともに、特許請求の範囲に記載する判別手段の一部を構成する。
【００３３】
以下、図４に示す電子カメラの動作について説明する。
図４において、電源スイッチ１１０がオンすると、電子カメラの動作が開始する。なお、以下の説明では、撮影モード／再生モード切換スイッチ１１２が撮影モードにセットされているものとして説明する。また、再生モードにおける動作は、本発明と関係ないので、その説明を省略する。
【００３４】
まず、通常の写真撮影について説明する。
レリーズボタン１２が半押しされると、ＡＥ処理、ＡＦ処理が実行される。また、閃光発光するか否かが判定される。
レリーズボタン１２が全押しされると、撮像ブロック２のＣＣＤ２４に結像された被写体画像は、ＣＣＤ２４によってアナログ画像信号に変換され、増幅器１０２に入力される。
【００３５】
増幅器１０２は、ＣＰＵ１００によってセットされた利得で前記入力されたアナログ画像信号を増幅する。増幅器１０２から出力されたアナログ画像信号はＡ／Ｄ変換器１０３に入力され、Ａ／Ｄ変換器１０３は入力されたアナログ画像信号をデジタル画像信号に変換して出力する。
Ａ／Ｄ変換器１０３から出力されたデジタル画像信号は、一方において、画像処理部１０４に入力される。画像処理部１０４は、入力されたデジタル画像信号に、ホワイトバランス、ガンマ変換、画素補間等の画像処理を施す。ホワイトバランス、ガンマ変換、画素補間等の画像処理は、本発明と直接関係しないので、その説明を省略する。
【００３６】
画像処理されたデジタル画像データは、一時的にバッファメモリ１０５に格納される。
バッファメモリ１０５から出力されたデジタル画像信号は、画像圧縮／伸長部１０６において、画像圧縮された後、メモリカード等の記憶媒体１０７に格納される。
【００３７】
Ａ／Ｄ変換器１０３から出力されたデジタル画像信号は、他方において、Ｄ／Ａ変換器１０８に入力される。Ｄ／Ａ変換器１０８は、入力されたデジタル画像信号をアナログ画像信号に変換して、液晶モニタ１１に出力する。
液晶モニタ１１は、現在、ＣＣＤ２４が捉えている画像をそのまま表示する。この画像をスルー画像と称する。
【００３８】
また、閃光発光装置２０２は、ＣＰＵ１００からの指令を受けて、閃光発光（予備発光、本発光）する。
次に、図５を用いて、スイッチＳＷ１，ＳＷ２の動作について説明する。前記したように、スイッチＳＷ１，ＳＷ２は、撮影レンズ系２０の開口部の少なくとも一部の領域がボディ１によって覆われて撮影不適の位置にあることを判別するためのスイッチである。
【００３９】
図５は、撮像ブロック２の回転位置（図３のθ参照）に応じて、回転軸２３に直結したカム２６により、スイッチＳＷ１，ＳＷ２がオン／オフする状態から、撮像ブロック２が撮影不適の位置にあるか否かを判別する状態を示す説明図である。具体的には、ＣＰＵ１００（図４参照）が、スイッチＳＷ１，ＳＷ２のオン／オフ状態を監視することにより、撮像ブロック２が撮影不適の位置にあるか否かを判別する。ここで、スイッチＳＷ１，ＳＷ２とカム２６とＣＰＵ１００は、特許請求の範囲に記載する判別手段に相当する。
【００４０】
図５（ａ）に示すように、対面撮影位置（θ＝９０度）においては、スイッチＳＷ１，ＳＷ２は、カム２６の突起部がスイッチＳＷ１，ＳＷ２と係合しないため、共にオフである。このとき、ＣＰＵ１００（図４参照）は撮影可能と判断する。
図５（ｂ）に示すように、対面撮影限界位置（θ＝α１）においては、スイッチＳＷ１はオフを保持する。しかし、スイッチＳＷ２は、カム２６の突起部と係合を開始するので、オフからオンに変化する。したがって、ＣＰＵ１００（図４参照）は、対面撮影限界位置を超えた場合、撮影不可能と判断する。この場合、ＣＰＵ１００は、レリーズボタン１２が全押されても受け付けない。
【００４１】
図５（ｃ）に示すように、収納位置（θ＝０度）においては、スイッチＳＷ１がオフ、スイッチＳＷ２がオンなので、ＣＰＵ１００（図４参照）は、撮影不可能と判断する。この場合、ＣＰＵ１００は、レリーズボタン１２が全押されても受け付けない。
図５（ｄ）に示すように、正面上方撮影位置限界（θ＝−α１）においては、スイッチＳＷ２がオンを保持し、スイッチＳＷ１がカム２６の突起部と係合を開始するので、オフからオンに変化する。したがって、ＣＰＵ１００（図４参照）は、正面上方撮影限界位置を超えた場合、撮影可能と判断する。
【００４２】
図５（ｅ）に示すように、正面下方撮影位置限界（θ＝−α２）においては、スイッチＳＷ１，ＳＷ２がオンを保持し、ＣＰＵ１００（図４参照）は、撮影可能と判断する。
以上の説明から明らかなように、図４に示すＣＰＵ１００は、図６に示す表にしたがって、撮影可、撮影不可を判断する。そして、ＣＰＵ１００は撮影不可と判断した場合、レリーズボタン１２が全押しされても受け付けることなく、撮影処理を禁止する。
【００４３】
図７は、図４に示す実施の形態の動作を説明するためのフローチャートであり、連続撮影モードによる動作を示すものである。
連続撮影モードが開始すると、ステップＳ１０において、ＣＰＵ１００は、レリーズボタン１２が全押しされたか否かを判定する。全押しされたと判定された場合には、ステップＳ１１に進む。全押しされていないと判定された場合には、ステップＳ１０の判定を繰り返し実行し、連続撮影は開始されない。
【００４４】
ステップＳ１１において、ＣＰＵ１００は、連続撮影の前処理として、ＡＦ処理、ＡＥ処理を行う。
次に、ステップＳ１２において、ＣＰＵ１００は、撮像ブロック２が撮影可能位置にあるか否かを判定する。撮影可能位置にあると判定された場合には、ステップＳ１３に進む。撮影可能位置にないと判定された場合には、ステップＳ１０に戻る。
【００４５】
次に、ステップＳ１３において、ＣＰＵ１００は、連続撮影を実行する。
ステップＳ１４において、ＣＰＵ１００は、レリーズボタン１２が継続して全押しされているか否かを判定する。継続して全押しされていると判定された場合には、ステップＳ１５に進む。継続して全押しされていないと判定された場合には、ステップＳ１０に戻る。
【００４６】
ステップＳ１５において、ＣＰＵ１００は、撮像ブロック２が撮影可能位置にあるか否かを判定する。撮影可能位置にあると判定された場合には、ステップＳ１３に戻り、連続撮影を継続する。撮影可能位置にないと判定された場合には、ステップＳ１４に戻り、撮像ブロック２が撮影可能位置になるまで、連続撮影を中断する。
【００４７】
図７に示すフローチャートによれば、撮像ブロック２が連続撮影中に撮影不可能な位置に回転した場合、連続撮影を中断することができる。また、中断した連続撮影において、撮像ブロック２が連続撮影中に撮影可能な位置に回転した場合、連続して撮影を再開することができる。これによって、連続撮影において、不適切な画像を撮影することが防止できる。
【００４８】
図８は、図４に示す実施の形態の動作を説明するためのフローチャートであり、動画撮影モードによる動作を示すものである。
動画撮影モードが開始すると、ステップＳ２０において、ＣＰＵ１００は、レリーズボタン１２が全押しされたか否かを判定する。全押しされたと判定された場合には、ステップＳ２１に進む。全押しされていないと判定された場合には、ステップＳ２０の判定を繰り返し実行し、動画撮影は開始されない。
【００４９】
ステップＳ２１において、ＣＰＵ１００は、動画撮影を開始する。
ステップＳ２２において、ＣＰＵ１００は、ステップＳ２０以降にレリーズボタン１２が再度全押しされたか否かを判定する。全押しされていないと判定された場合には、ステップＳ２３に進む。全押しされたと判定された場合には、動画撮影を終了する。
【００５０】
ステップＳ２３において、ＣＰＵ１００は、撮像ブロック２が撮影可能位置にあるか否かを判定する。撮影可能位置にあると判定された場合には、ステップＳ２２に戻り、動画撮影を継続する。撮像ブロック２が撮影可能位置にないと判定された場合には、ステップＳ２４に進む。
ステップＳ２４において、ＣＰＵ１００は、動画撮影を中断する。
【００５１】
ステップＳ２５において、ＣＰＵ１００は、再び、レリーズボタン１２が全押しされたか否かを判定する。全押しされていないと判定された場合には、ステップＳ２６に進む。全押しされたと判定された場合には、動画撮影を終了する。
ステップＳ２６において、ＣＰＵ１００は、撮像ブロック２が撮影可能位置にあるか否かを判定する。撮影可能位置にあると判定された場合には、ステップＳ２７に進む。撮像ブロック２が撮影可能位置にないと判定された場合には、ステップＳ２４に戻る。
【００５２】
ステップＳ２７において、ＣＰＵ１００は、動画撮影を再開し、ステップＳ２２に戻る。
図８に示すフローチャートによれば、撮像ブロック２が動画撮影中に撮影不可能な位置に回転した場合、動画撮影を中断することができる。また、中断した動画撮影において、撮像ブロック２が撮影可能な位置に回転した場合、動画撮影を再開することができる。これによって、動画撮影において、不適切な動画を撮影することが防止できる。
【００５３】
図９は、図４に示す実施の形態の動作を説明するためのフローチャートであり、閃光発光装置の発光前に撮像ブロック２が撮影可能位置にあるか否かを判定する動作を示すものである。
ステップＳ３０において、ＣＰＵ１００は、レリーズボタン１２が半押しされたか否かを判定する。半押しされていないと判定された場合は、前記ステップＳ３０の判定を繰り返し実行する。半押しされたと判定された場合は、ステップＳ３１に進む。
【００５４】
ステップＳ３１において、ＣＰＵ１００は、撮像ブロック２が撮影可能位置にあるか否かを判定する。撮影可能位置にあると判定された場合には、ステップＳ３３に進む。撮像ブロック２が撮影可能位置にないと判定された場合には、ステップＳ３２に進む。
ステップＳ３２において、ＣＰＵ１００は、液晶モニタ１１に撮影不可の表示を一定時間に亙って行い、ステップＳ３０に戻る。
【００５５】
ステップＳ３３において、ＣＰＵ１００は、ＡＦ処理とＡＥ処理を行う。
ステップＳ３４において、ＣＰＵ１００は、ステップＳ３３で求めたろＡＦ値とＡＥ値をロックする。
ステップＳ３５において、ＣＰＵ１００は、レリーズボタン１２の半押し状態が継続して行われているか否かを判定する。継続して行われていないと判定された場合には、ステップＳ３０に戻る。継続して行われていると判定された場合には、ステップＳ３６に進む。
【００５６】
ステップＳ３６において、ＣＰＵ１００は、レリーズボタン１２が全押しされたか否かを判定する。全押しされていないと判定された場合には、ステップＳ３５に戻る。全押しされたと判定された場合には、ステップＳ３７に進む。
ステップＳ３７において、ＣＰＵ１００は、撮像ブロック２が撮影可能位置にあるか否かを判定する。撮影可能位置にあると判定された場合には、ステップＳ３８に進む。ブロック２が撮影可能位置にないと判定された場合には、ステップＳ３５に戻る。
【００５７】
ステップＳ３８において、ＣＰＵ１００は、現在のモードが閃光発光装置２０２を閃光発光させるモードであるか否かを判定する。閃光発光しないモードである場合には、ステップＳ４４に進む。閃光発光するモードの場合には、ステップＳ３９に進む。
ステップＳ３９において、ＣＰＵ１００は、撮像ブロック２が撮影可能位置にあるか否かを判定する。撮影可能位置にあると判定された場合には、ステップＳ４０に進む。ブロック２が撮影可能位置にないと判定された場合には、ステップＳ３５に戻る。
【００５８】
ステップＳ４０において、ＣＰＵ１００は、閃光発光装置２０２をプリ発光（予備発光）させる。
ステップＳ４１において、ＣＰＵ１００は、前記プリ発光（予備発光）に基づいて、本発光量を決定する。
ステップＳ４２において、ＣＰＵ１００は、現在のモードが閃光発光装置２０２に赤目防止用の閃光発光させるモードであるか否かを判定する。赤目防止用の閃光発光しないモードである場合には、ステップＳ４５に進む。赤目防止用の閃光発光をするモードの場合には、ステップＳ４３に進む。
【００５９】
ステップＳ４３において、ＣＰＵ１００は、撮像ブロック２が撮影可能位置にあるか否かを判定する。撮影可能位置にあると判定された場合には、ステップＳ４４に進む。撮像ブロック２が撮影可能位置にないと判定された場合には、ステップＳ３５に戻る。
ステップＳ４４において、ＣＰＵ１００は、閃光発光装置２０２に赤目防止用の閃光発光をさせる。
【００６０】
ステップＳ４５において、ＣＰＵ１００は、撮像ブロック２が撮影可能位置にあるか否かを判定する。撮影可能位置にあると判定された場合には、ステップＳ４６に進む。撮像ブロック２が撮影可能位置にないと判定された場合には、ステップＳ３５に戻る。
ステップＳ４６において、ＣＰＵ１００は、閃光発光装置２０２を本発光させる。
【００６１】
ステップＳ４７において、ＣＰＵ１００は撮影を実行し、制御をステップＳ３０に戻す。
図９に示すフローチャートによれば、撮像ブロック２が閃光発光（予備発光、赤目防止用発光、本発光）前に、撮影不可能な位置に回転した場合、閃光発光を中断することができる。これによって、閃光発光部とカバーの間の構造物が熱を持って変形してしまい、この熱に起因して電子カメラの寿命を短くする等の不具合を防止することができる。
【００６２】
【発明の効果】
本発明によれば、レリーズボタンが全押しされたとき、撮影レンズ系の開口部がボディにより覆われることで適切な撮影が行われるか否かを判別して、適切な撮影ができない場合には撮影モードを維持しつつ撮影処理を禁止し、また撮影レンズ系の開口部がボディに覆われた状態から覆われていない状態になったときに即座に撮影可能状態に復帰可能な電子カメラを提供するができる。
また、本発明によれば、連続撮影が行われているとき、撮影レンズ系の開口部がボディにより覆われることで適切な撮影が行われるか否かを判別して、適切な撮影ができない場合には連続撮影処理を中断し、また撮影レンズ系の開口部がボディに覆われた状態から覆われていない状態になったときに即座に連続撮影を再開可能な電子カメラを提供するができる。
【００６３】
また、本発明によれば、動画撮影が行われているとき、撮影レンズ系の開口部がボディにより覆われることで適切な動画撮影が行われるか否かを判別して、適切な動画撮影ができない場合には動画撮影処理を禁止し、また撮影レンズ系の開口部がボディに覆われた状態から覆われていない状態になったときに即座に動画撮影を再開可能な電子カメラを提供することができる。
また、本発明によれば、閃光発光装置が発光する前に、閃光発光装置の発光部の少なくとも一部の領域がボディにより覆われているか否かを判別し、覆われている場合には閃光発光を含む撮影処理を禁止することで、閃光発光装置の発光によるボディ構造物の熱変形を防止する電子カメラを提供することができる。
【図面の簡単な説明】
【図１】本発明の一実施の形態で用いるカメラの斜視図である。
【図２】ボディに対して撮像ブロックが回転変位する状態を示す説明図である。
【図３】ボディに対して撮像ブロックが回転変位する状態を示す説明図である。
【図４】電子カメラのブロック図である。
【図５】撮像ブロックの回転位置に応じて、回転軸に直結したカムにより、スイッチＳＷ１，ＳＷ２がオン／オフする説明図である。
【図６】スイッチＳＷ１，ＳＷ２のオン／オフ状態に応じて、撮影可能又は撮影不可能になる状態を示す説明図である。
【図７】図４に示すブロック図の動作を示すフローチャートである。
【図８】図４に示すブロック図の動作を示すフローチャートである。
【図９】図４に示すブロック図の動作を示すフローチャートである。
【符号の説明】
１  ボディ
２  撮像ブロック
１１  液晶モニタ
１２  レリーズボタン
２０  撮影レンズ系
２１  撮影レンズ系の開口部
２２  ストロボ発光部
２３  回転軸
２４  ＣＣＤ
２５  保護ガラス
２６  カム
１００  ＣＰＵ
１０１  バス
１０２  増幅器
１０３  Ａ／Ｄ変換器
１０４  画像処理部
１０５  バッファメモリ
１０６  画像圧縮／伸長部
１０７  記録媒体
１０８  Ｄ／Ａ変換器
１１０  電源スイッチ
１１２  撮影モード／再生モード切換スイッチ
２０２  閃光発光装置
ＳＷ１，ＳＷ２  スイッチ
【図１】
0004537644.tif 000002
【図２】
0004537644.tif 000003
【図３】
0004537644.tif 000004
【図４】
0004537644.tif 000005
【図５】
0004537644.tif 000006
【図６】
0004537644.tif 000007
【図７】
0004537644.tif 000008
【図８】
0004537644.tif 000009
【図９】
0004537644.tif 000010